(57)【要約】【課題】フリーサイズのソケットを有するラチェットレンチを提供する。【解決手段】レンチ２０は、ラチェット機構８をハンドル本体７の端部に備える。複数の第１セル棒１１は、ラチェット車８ａの中央部に貫通した第１収容室１ｈに収容され、軸中心が同心円状に第１収容室１ｈに配置される。第１セル案内板１２は、第１収容室１ｈの内部に移動可能に配置される。第１セル係止板１３は、第１収容室１ｈをラチェット車８ａの他端面側から覆う。第１収容室１ｈは、ラチェット車８ａの一端面側に開口し、大きな口幅を有するボルトの頭部又はナットに嵌合可能な正六角柱状の嵌合口１１ｈと、嵌合口１１ｈに連通して嵌合口１１ｈに外接するように、ラチェット車８ａの他端面側に貫通する円形開口１２ｈと、を有する。第１セル棒１１は、嵌合口１１ｈの円周方向又は遠心方向には移動が困難に配置された円柱状の第１頭部１１１を有する。【選択図】図１
2012091250.tif 000002
【特許請求の範囲】
【請求項１】
ラチェット車と戻り止用の爪で構成されたラチェット機構をハンドル本体の端部に備えるラチェットレンチであって、
前記ラチェット車の他端面に貫通した第１収容室に収容され、軸中心が同心円状に前記第１収容室に配置される複数の第１セル棒と、
前記第１収容室の内部に移動可能に配置される第１セル案内板と、
前記第１収容室を前記ラチェット車の他端面側から覆う第１セル係止板と、を備え、
前記第１収容室は、
前記ラチェット車の一端面側に開口し、大きな口幅を有するボルトの頭部又はナットに嵌合可能な正六角柱状の嵌合口と、
この嵌合口に連通して当該嵌合口に外接するように、前記ラチェット車の他端面側に貫通する円形開口と、を有し、
前記第１セル棒は、
隣接する複数の前記第１セル棒の少なくともいずれかに当接して、前記嵌合口の円周方向又は遠心方向には移動が困難に配置された円柱状の第１頭部と、
この第１頭部から段差となって縮径した第１軸部と、
この第１軸部の末端に形成され、前記第１軸部より拡径した第１戻り止部と、を有し、
前記第１セル案内板は、
前記第１軸部がスライド可能に嵌合する第１係合穴と、
この第１係合穴の周囲に前記第１頭部が当接して、当該第１セル案内板を一方向に移動可能な第１平坦面と、を有し、
前記第１セル係止板は、
前記第１軸部にスライド可能に嵌合する第２係合穴と、
この第２係合穴の周囲に前記第１戻り止部が当接して、当該第１セル棒の他方向への移動を規制する第２平坦面と、を有するラチェットレンチ。
【請求項２】
ラチェット車と戻り止用の爪で構成されたラチェット機構をハンドル本体の端部に備えるラチェットレンチであって、
前記ラチェット車の中央部の一端面から他端面に貫通した第１収容室に収容され、軸中心が同心円状に前記第１収容室に配置される複数の第２セル棒と、
前記第１収容室の内部に移動可能に配置される第２セル案内板と、
前記第１収容室を前記ラチェット車の他端面側から覆う第２セル係止板と、を備え、
前記第１収容室は、
前記ラチェット車の一端面側に開口し、大きな口幅を有するボルトの頭部又はナットに嵌合可能な正六角柱状の嵌合口と、
この嵌合口に連通して当該嵌合口に外接するように、前記ラチェット車の他端面側に貫通する円形開口と、を有し、
前記第２セル棒は、
隣接する複数の前記第２セル棒の少なくともいずれかに当接して、前記嵌合口の円周方向又は遠心方向には移動が困難に配置された台形体状の第２頭部と、
この第２頭部から段差となって棒状に延びた第２軸部と、
この第２軸部の末端に形成され、前記第２軸部より拡径した第２戻り止部と、を有し、
前記第２セル案内板は、
前記第２軸部にスライド可能に嵌合する第３係合穴と、
この第３係合穴の周囲に前記第２頭部が当接して、当該第２セル案内板を一方向に移動可能な第３平坦面と、を有し、
前記第２セル係止板は、
前記第２軸部がスライド可能に嵌合する第４係合穴と、
この第４係合穴の周囲に前記第２戻り止部が当接して、当該第２セル棒の他方向への移動を規制する第４平坦面と、を有するラチェットレンチ。
【請求項３】
ラチェット車と戻り止用の爪で構成されたラチェット機構をハンドル本体の端部に備えるラチェットレンチであって、
前記ラチェット車の一端面の中央部から他端面に貫通した正六角柱状の第２収容室に収容され、この第２収容室の中心部から同軸上に前記ラチェット車の他端面に向かって延出可能な正六角柱状の伸縮ソケットを備え、
この伸縮ソケットは、前記第２収容室の中心に向かって等差数列状に段階的に減少する口幅を設ける複数の正六角管が相互に嵌合するように連結しているラチェットレンチ。
【請求項４】
前記正六角管は、
その外壁から隆起するように形成された突起と、
その内壁に穿設され、軸方向に延びる長穴と、を有し、
内側に配置された前記正六角管に設けた前記突起と、外側に配置された前記正六角管に設けた前記長穴とが相互にスライド可能に嵌合する請求項３記載のラチェットレンチ。
【発明の詳細な説明】
【技術分野】
【０００１】
本発明は、ラチェットレンチに関する。特に、異なるサイズのボルト又はナットなどを締結可能なソケットを有するラチェットレンチの構造に関する。
【背景技術】
【０００２】
例えば、電柱の配線工事では、多くのサイズのボルト又はナットが大量に使用される。このような電設工事（強電工事）では、ボルト又はナットを効率よく回すために、ラチェットレンチと呼ばれる工具を使用することが多い。
【０００３】
ラチェットレンチは、ラチェット車と戻り止用の爪で構成されたラチェット機構を備え、このラチェット機構がボルト又はナットを一方向にのみ回転できる。又、ラチェットレンチを反対方向に回転すると、ラチェット機構が空回りするため、ボルト又はナットを素早く締結できる。
【０００４】
一般に、ラチェットレンチは、ボルト又はナットに嵌合する開口を設けたソケットがハンドル本体の先端部（頭部）に組み込まれている。そして、ソケットの表面側と裏面側とで異なる口幅（対辺距離）のボルト又はナットが嵌合するように構成された、いわゆる、２サイズのラチェットレンチが普及している。
【０００５】
電柱の配線工事用のラチェットレンチ、いわゆる電設用ラチェットレンチは、多くのサイズの工具を持たなくても作業できるように、通常の２サイズより多い４サイズの口幅（対辺距離）に対応できるものが多く使用されている。
【０００６】
例えば、このような４サイズのラチェットレンチは、ラチェット機構及びソケットがハンドル本体の両端部に組み込まれている。又、これらのソケットは、表面側と裏面側とで異なる口幅を有するボルト又はナットが嵌合するように構成されている。
【０００７】
ところで、このような４サイズのラチェットレンチは、四種類のボルトサイズに対応することができるが、それ以上の種類のボルトサイズには対応することが困難であった。又、二箇所にラチェット機構を備える必要があり、ラチェットレンチを高価で重いものとしていた。
【０００８】
このような不具合を解消するため、一定範囲の回動操作によってボルト又はナットを締結可能な２サイズのラチェットレンチであって、任意のサイズのボルトを能率的に締結できる、いわゆるフリーサイズに対応可能なラチェットレンチが開示されている（例えば、特許文献１参照）。
【０００９】
特許文献１によるラチェットレンチは、ハンドルの先端部に配置され、ラチェット機構の中央部に設けた２サイズのソケットと、このソケットの大口径側の開口に着脱自在に嵌合するボックスタイプの交換ソケットと、前記ソケットの小口径側の開口に着脱自在に嵌合すると共に、交換ソケットの頭部に設けた四角柱状の陥没口に嵌合する回り止めを先端部に有する係止部材と、を備えている。
【００１０】
特許文献１によるラチェットレンチは、交換ソケットを別の交換ソケットと差し替えることにより、任意のサイズのボルトを能率的に締結できる、としている。
【先行技術文献】
【特許文献】
【００１１】
【特許文献１】特開２００４−３４５０１１号公報
【発明の概要】
【発明が解決しようとする課題】
【００１２】
しかしながら、特許文献１によるラチェットレンチは、異なるサイズのボルト又はナットを締結しようとする度に、交換ソケットを別の交換ソケットと差し替えるため、多種類の交換ソケットを用意（携帯）する必要があるので、不便であるという問題がある。
【００１３】
ソケットを交換することなく、フリーサイズに対応可能な工具としては、工具部の二面幅をウォーム歯車装置によって任意に変えられるモンキーレンチがある。しかし、モンキーレンチは、ハンドル本体を所定の角度回動した後に、再び、ボルト又はナットを把持する動作を繰り返すので、ラチェットレンチと比べて作業効率が低く、簡易的な利用に限定される。
【００１４】
ソケットを交換することなく、異なるサイズのボルト又はナットなどを締結可能なフリーサイズのソケットを有するラチェットレンチが実現できれば、便利であり、例えば、電設工事の作業能率を向上できる。そして、以上のことが本発明の課題といってよい。
【００１５】
本発明は、このような課題に鑑みてなされたものであり、ソケットを交換することなく、異なるサイズのボルト又はナットなどを締結可能なフリーサイズのソケットを有するラチェットレンチを提供することを目的とする。
【課題を解決するための手段】
【００１６】
本発明者らは、異なるサイズのボルトの頭部又はナットの口幅（対辺距離）が等差数列的に増減することに着目し、これらの等差数列の公差に相当する面積を有するセル群がボルトの頭部又はナットに嵌合して軸方向には移動するが、残余のセル群が互いに密着して公転が困難なように、ボルトの頭部又はナットに嵌合するセル群をハンドル本体の端部に配置することにより、これらの課題が解決可能なことを見出し、これに基づいて、以下のような新たなラチェットレンチを発明するに至った。
【００１７】
（１）本発明によるラチェットレンチは、ラチェット車と戻り止用の爪で構成されたラチェット機構をハンドル本体の端部に備えるラチェットレンチであって、前記ラチェット車の一端面の中央部から他端面に貫通した第１収容室に収容され、軸中心が同心円状に前記第１収容室に配置される複数の第１セル棒と、前記第１収容室の内部に移動可能に配置される第１セル案内板と、前記第１収容室を前記ラチェット車の他端面側から覆う第１セル係止板と、を備え、前記第１収容室は、前記ラチェット車の一端面側に開口し、大きな口幅を有するボルトの頭部又はナットに嵌合可能な正六角柱状の嵌合口と、この嵌合口に連通して当該嵌合口に外接するように、前記ラチェット車の他端面側に貫通する円形開口と、を有し、前記第１セル棒は、互いに当接して前記嵌合口の円周方向又は遠心方向には移動が困難に配置された円柱状の第１頭部と、この第１頭部から段差となって縮径した第１軸部と、この第１軸部の末端に形成され、前記第１軸部より拡径した第１戻り止部と、を有し、前記第１セル案内板は、前記第１軸部にスライド可能に嵌合する第１係合穴と、この第１係合穴の周囲に前記第１頭部が当接して、当該第１セル案内板を一方向に移動可能な第１平坦面と、を有し、前記第１セル係止板は、前記第１軸部にスライド可能に嵌合する第２係合穴と、この第２係合穴の周囲に前記第１戻り止部が当接して、当該第１セル棒の他方向への移動を規制する第２平坦面と、を有する。
【００１８】
（２）本発明によるラチェットレンチは、ラチェット車と戻り止用の爪で構成されたラチェット機構をハンドル本体の端部に備えるラチェットレンチであって、前記ラチェット車の一端面の中央部から他端面に貫通した第１収容室に収容され、軸中心が同心円状に前記第１収容室に配置される複数の第２セル棒と、前記第１収容室の内部に移動可能に配置される第２セル案内板と、前記第１収容室を前記ラチェット車の他端面側から覆う第２セル係止板と、を備え、前記第１収容室は、前記ラチェット車の一端面側に開口し、大きな口幅を有するボルトの頭部又はナットに嵌合可能な正六角柱状の嵌合口と、この嵌合口に連通して当該嵌合口に外接するように、前記ラチェット車の他端面側に貫通する円形開口と、を有し、前記第２セル棒は、互いに当接して前記嵌合口の円周方向又は遠心方向には移動が困難に配置された台形体状の第２頭部と、この第２頭部から段差となって棒状に延びた第２軸部と、この第２軸部の末端に形成され、前記第２軸部より拡径した第２戻り止部と、を有し、前記第２セル案内板は、前記第２軸部にスライド可能に嵌合する第３係合穴と、この第３係合穴の周囲に前記第２頭部が当接して、当該第２セル案内板を一方向に移動可能な第３平坦面と、を有し、前記第２セル係止板は、前記第２軸部にスライド可能に嵌合する第４係合穴と、この第４係合穴の周囲に前記第２戻り止部が当接して、当該第２セル棒の他方向への移動を規制する第４平坦面と、を有する。
【００１９】
（３）本発明によるラチェットレンチは、ラチェット車と戻り止用の爪で構成されたラチェット機構をハンドル本体の端部に備えるラチェットレンチであって、前記ラチェット車の一端面の中央部から他端面に貫通した正六角柱状の第２収容室に収容され、この第２収容室の中心部から同軸上に前記ラチェット車の他端面に向かって延出可能な正六角柱状の伸縮ソケットを備え、この伸縮ソケットは、前記第２収容室の中心に向かって等差数列状に段階的に減少する口幅を設ける複数の正六角管が相互に嵌合するように連結している。
【００２０】
（４）前記正六角管は、相反する向きに位置する一対の外壁から隆起するように形成された突起と、相反する向きに位置する一対の内壁に穿設され、軸方向に延びる長穴と、を有し、内側に配置された前記正六角管に設けた一対の前記突起と、外側に配置された前記正六角管に設けた一対の前記長穴とが相互にスライド可能に嵌合することが好ましい。
【発明の効果】
【００２１】
本発明によるラチェットレンチは、異なるサイズのボルトの頭部又はナットに嵌合するセル群をハンドル本体の端部に配置している。本発明によるラチェットレンチは、ソケットを交換することなく、異なるサイズのボルト又はナットなどを締結可能なフリーサイズのソケットを有するラチェットレンチが実現でき、便利であり、例えば、電設工事の作業能率を向上できる。
【図面の簡単な説明】
【００２２】
【図１】本発明の第１実施形態によるラチェットレンチの要部を示す斜視図である。
【図２】第１実施形態によるラチェットレンチの構成を示す正面図であり、他方の端部を縦断面で示している。
【図３】図２のＸ−Ｘ’矢視を拡大した縦断面図である。
【図４】第１実施形態によるラチェットレンチの一方の端部を拡大した正面図である。
【図５】図４のＸ−Ｘ’矢視断面図であり、所定の口幅を有するボルトの頭部が嵌合した状態図である。
【図６】図４のＸ−Ｘ’矢視断面図であり、図６（Ａ）は、所定の口幅を有するナットが嵌合した状態図、図６（Ｂ）は、所定の口幅を開口する六角穴を有する六角穴付き止めねじが嵌合した状態図である。
【図７】本発明の第２実施形態によるラチェットレンチの要部を示す斜視図である。
【図８】第２実施形態によるラチェットレンチの構成を示す正面図であり、他方の端部を縦断面で示している。
【図９】図８のＸ−Ｘ’矢視を拡大した縦断面図である。
【図１０】第２実施形態によるラチェットレンチの一方の端部を拡大した正面図である。
【図１１】第２実施形態によるラチェットレンチに備わる第２セル案内板を示す正面図である。
【図１２】本発明の第３実施形態によるラチェットレンチの要部を示す斜視分解組立図である。
【図１３】第３実施形態によるラチェットレンチの構成を示す正面図であり、他方の端部を縦断面で示している。
【図１４】第３実施形態によるラチェットレンチの構成を示す右側面図であり、他方の端部を縦断面で示している。
【発明を実施するための形態】
【００２３】
以下、図面を参照して本発明を実施するための形態を説明する。
［第１実施形態］
（ラチェットレンチの構成）
最初に、本発明の第１実施形態によるラチェットレンチの構成を説明する。
【００２４】
図１は、本発明の第１実施形態によるラチェットレンチの要部を示す斜視図である。図２は、第１実施形態によるラチェットレンチの構成を示す正面図であり、他方の端部を縦断面で示している。図３は、図２のＸ−Ｘ’矢視を拡大した縦断面図である。
【００２５】
図４は、第１実施形態によるラチェットレンチの一方の端部を拡大した正面図である。図５は、図４のＸ−Ｘ’矢視断面図であり、所定の口幅を有するボルトの頭部が嵌合した状態図である。図６は、図４のＸ−Ｘ’矢視断面図であり、図６（Ａ）は、所定の口幅を有するナットが嵌合した状態図、図６（Ｂ）は、所定の口幅を開口する六角穴を有する六角穴付き止めねじが嵌合した状態図である。
【００２６】
図１から図３を参照すると、本発明の第１実施形態によるラチェットレンチ（以下、レンチと略称する）１０は、帯状のハンドル本体７とラチェット機構８を備えている。ハンドル本体７は、その両端部にラチェット機構８を設けている。ラチェット機構８は、ラチェット車（爪車）８ａとクランク状の揺動レバー８ｂで構成されている。
【００２７】
図１から図３を参照すると、ラチェット車８ａは、ラジアル方向（円周方向）には回転が可能であるが、スラスト方向（軸方向）には移動が困難なように、ハンドル本体７の両端部に保持されている。ラチェット車８ａは、連続する複数の台形歯８１ａを外周上に形成している。一方、揺動レバー８ｂは、台形歯８１ａに係合する一対の戻り止用の爪８１ｂ・８１ｂを一方の端部に形成している。
【００２８】
図２を参照すると、揺動レバー８ｂは、軸８ｃによって揺動可能に支持されている。軸８ｃは、ラチェット車８ａの外周円の接線方向に配置されている。そして、ラチェット車８ａがＲ方向（時計方向）に回転しようとすると、一方の戻り止用の爪８１ｂが台形歯８１ａに係止して、ラチェット車８ａのＲ方向の回転が阻止される。
【００２９】
一方、図２を参照すると、ラチェット車８ａがＬ方向（反時計方向）に回転すると、一方の戻り止用の爪８１ｂが台形歯８１ａから逃げるように回動するので、ラチェット車８ａのＬ方向の回転を持続できる。
【００３０】
図２を参照すると、揺動レバー８ｂは、半円弧状に形成された隅部８１ｃを他方の端部に設けている。一方、ハンドル本体７は、隅部８１ｃに当接するボール７ｂと、ボール７ｂを隅部８１ｃに向けて力を付勢する圧縮コイルばね７ｓを備えている。
【００３１】
図２を参照すると、ボール７ｂ及び圧縮コイルばね７ｓは、揺動レバー８ｂの揺動運動（間欠運動）を担保している。隅部８１ｃがボール７ｂを乗り越えるように、強制的に揺動レバー８ｂを回動して、他方の戻り止用の爪８１ｂが台形歯８１ａに係合させると、ラチェット車８ａは、Ｒ方向の回転運動のみが許容される。
【００３２】
図１から図６を参照すると、第１実施形態によるレンチ１０は、複数の第１セル棒１１、第１セル案内板１２、及び第１セル係止板１３を備えている。複数の第１セル棒１１は、第１収容室１ｈに収容されている。第１収容室１ｈは、ラチェット車８ａの中央部の一端面から他端面に貫通している。そして、複数の第１セル棒１１は、それらの軸中心が同心円状になるように第１収容室１ｈに配置されている。
【００３３】
図３又は図５及び図６を参照すると、第１セル案内板１２は、第１収容室１ｈの内部に、一端面側と他端面側との間を移動可能に配置されている。第１セル係止板１３は、第１収容室１ｈをラチェット車８ａの他端面側から覆っている。
【００３４】
図２及び図３を参照すると、第１収容室１ｈは、正六角柱状の嵌合口１１ｈと円形開口１２ｈを有している。嵌合口１１ｈは、ラチェット車８ａの一端面側に開口し、大きな口幅を有するボルトＢの頭部又はナットＮに嵌合できる。円形開口１２ｈは、嵌合口１１ｈに連通している。そして、円形開口１２ｈは、嵌合口１１ｈに外接するように、ラチェット車８ａの他端面側に貫通している。
【００３５】
図３又は図４を参照すると、第１セル棒１１は、円柱状の第１頭部１１１、第１軸部１１２、及び第１戻り止部１１３を有している。複数の第１頭部１１１は、隣接する複数の第１セル棒１１の少なくともいずれかに当接して、嵌合口１１ｈの円周方向又は遠心方向には移動が困難に配置されている。第１軸部１１２は、第１頭部１１１から段差となって縮径している。第１戻り止部１１３は、第１軸部１１２の末端に形成され、第１軸部１１２より拡径している。
【００３６】
図３を参照すると、第１セル案内板１２は、第１軸部１１２にスライド可能に嵌合する第１係合穴１２ｊを開口している。又、第１セル案内板１２は、第１係合穴１２ｊの周囲に第１頭部１１１が当接して、第１セル案内板１２を一方向に移動可能な第１平坦面１２ｓを有している。
【００３７】
図３を参照すると、第１セル係止板１３は、第１軸部１１２がスライド可能に嵌合する第２係合穴１３ｊを開口している。又、第１セル係止板１３は、第２係合穴１３ｊの周囲に第１戻り止部１１３が当接して、第１セル棒１１の他方向への移動を規制する第２平坦面１３ｓを有している。
【００３８】
（ラチェットレンチの組立手順）
次に、第１実施形態によるレンチ１０の組立手順を説明する。図３を参照して、最初に、第１セル案内板１２をラチェット車８ａの第１収容室１ｈに収容する。次に、複数の第１セル棒１１の第１軸部１１２を嵌合口１１ｈ側から第１セル案内板１２の第１係合穴１２ｊに挿入する。なお、当初、第１軸部１１２の末端には、第１戻り止部１１３を形成していない。
【００３９】
次に、図３を参照して、複数の第１軸部１１２を第１セル係止板１３の第２係合穴１３ｊに挿入して、第１セル係止板１３を円形開口１２ｈの端部に圧入する。次に、第１軸部１１２の末端を円盤状につぶして（鍛造して）、第１戻り止部１１３を形成する。そして、一連の組立を終了する。
【００４０】
（ラチェットレンチの作用）
次に、第１実施形態によるレンチ１０の作用及び効果を説明する。図３及び図４を参照すると、第１セル棒１１は、嵌合口１１ｈの内壁から中心に向かって、段階的に正六角形状に縮小する五つの仮想領域に区画配置された第１セル棒１１ａ〜１１ｅで構成している。
【００４１】
図３及び図４を参照すると、嵌合口１１ｈの内壁は、その口幅（対辺距離）Ｗａをレンチ１０が締結できる最大口幅に設定している。例えば、嵌合口１１ｈの口幅Ｗａは、２７ｍｍであり、「Ｍ１８」のナットＮに嵌合できる（図６（Ａ）参照）。
【００４２】
図４を参照すると、複数の第１セル棒１１ａは、それらの第１頭部１１１の外周が嵌合口１１ｈの内壁に当接するように、配列されている。複数の第１セル棒１１ａの第１頭部１１１で囲まれた仮想領域は、その口幅Ｗｂを最大口幅より小さく設定している。
【００４３】
図４を参照すると、例えば、複数の第１セル棒１１ａで囲まれた仮想領域の口幅Ｗｂは、２２ｍｍであり、「Ｍ１４」のボルトＢの頭部又はナットＮに嵌合できる。又、「Ｗ１／２」のウィットサイズのボルトＢの頭部又はナットＮに嵌合できる。第１セル棒１１ａの第１頭部１１１の直径は、「２．５」ｍｍ程度であり、複数の第１セル棒１１ａで囲まれた仮想領域の口幅Ｗｂが２２ｍｍとなるように構成している。
【００４４】
図４を参照すると、複数の第１セル棒１１ｂは、複数の第１セル棒１１ａの第１頭部１１１で囲まれた仮想領域に配列されている。第１セル棒１１ｂの第１頭部１１１は、第１セル棒１１ａの第１頭部１１１に当接するように配置されている。又、部分的には、第１セル棒１１ｂの第１頭部１１１同士が当接するように配置されている。つまり、複数の第１セル棒１１ｂの第１頭部１１１は、第１セル棒１１ａの第１頭部１１１に当接すると共に、部分的には互いに当接して、嵌合口１１ｈの円周方向又は遠心方向には移動が困難に配置されている。
【００４５】
図４を参照すると、複数の第１セル棒１１ｂの第１頭部１１１で囲まれた仮想領域は、その口幅Ｗｃを口幅Ｗｂより小さく設定している。例えば、複数の第１セル棒１１ｂで囲まれた仮想領域の口幅Ｗｃは、１７ｍｍであり、「Ｍ１０」のボルトＢの頭部に嵌合できる（図５参照）。又、「Ｗ３／８」のウィットサイズのボルトＢの頭部又はナットＮに嵌合できる。
【００４６】
図４を参照すると、第１セル棒１１ｂの第１頭部１１１の直径は、「２．５」ｍｍ程度であり、複数の第１セル棒１１ｂで囲まれた仮想領域の口幅Ｗｂが１７ｍｍとなるように構成している。
【００４７】
図４を参照すると、複数の第１セル棒１１ｃは、複数の第１セル棒１１ｂの第１頭部１１１で囲まれた仮想領域に配列されている。第１セル棒１１ｃの第１頭部１１１は、第１セル棒１１ｂの第１頭部１１１に当接するように配置されている。つまり、複数の第１セル棒１１ｃの第１頭部１１１は、第１セル棒１１ｂの第１頭部１１１に当接して、嵌合口１１ｈの円周方向又は遠心方向には移動が困難に配置されている。
【００４８】
図４を参照すると、複数の第１セル棒１１ｃの第１頭部１１１で囲まれた仮想領域は、その口幅Ｗｄを口幅Ｗｃより小さく設定している。例えば、複数の第１セル棒１１ｃで囲まれた仮想領域の口幅Ｗｄは、１０ｍｍであり、「Ｍ６」のボルトＢの頭部又はナットＮに嵌合できる。又、「Ｗ１／４」のウィットサイズのボルトＢの頭部又はナットＮに嵌合できる。
【００４９】
図４及び図６（Ｂ）を参照すると、例えば、複数の第１セル棒１１ｃで囲まれた仮想領域の口幅Ｗｄは、１０ｍｍであるので、複数の第１セル棒１１ｄの第１頭部１１１を「Ｍ２０」の六角穴付き止めねじＢｈの頭部に形成された六角穴に嵌合できる。「Ｍ２０」の六角穴付き止めねじＢｈの場合、ねじの呼び径（外径）は、２０ｍｍであり、六角穴の口幅（呼び寸法）は、１０ｍｍである。したがって、第１セル棒１１ａは、初期の状態に復帰でき、第１セル棒１１ｂ・１１ｃの第１頭部１１１は、六角穴付き止めねじＢｈの頭部に当接し、第１セル棒１１ｄ・１１ｅの第１頭部１１１は、六角穴に陥没できる。
【００５０】
図４を参照すると、第１セル棒１１ｃの第１頭部１１１の直径は、「３．５」ｍｍ程度であり、複数の第１セル棒１１ｃで囲まれた仮想領域の口幅Ｗｂが１０ｍｍとなるように構成している。
【００５１】
図４を参照すると、複数の第１セル棒１１ｄは、複数の第１セル棒１１ｃの第１頭部１１１で囲まれた仮想領域に配列されている。第１セル棒１１ｄの第１頭部１１１は、第１セル棒１１ｃの第１頭部１１１に当接するように配置されている。つまり、複数の第１セル棒１１ｄの第１頭部１１１は、第１セル棒１１ｃの第１頭部１１１に当接して、嵌合口１１ｈの円周方向又は遠心方向には移動が困難に配置されている。
【００５２】
図３又は図４を参照すると、複数の第１セル棒１１ｄの第１頭部１１１で囲まれた仮想領域（中心領域）は、その口幅Ｗｅを口幅Ｗｄより小さく設定している。例えば、複数の第１セル棒１１ｄで囲まれた仮想領域の口幅Ｗｅは、５ｍｍである。
【００５３】
図４を参照すると、第１セル棒１１ｄの第１頭部１１１の直径は、「２．５」ｍｍ程度であり、複数の第１セル棒１１ｄで囲まれた仮想領域の口幅Ｗｂが５ｍｍとなるように構成している。実体として、嵌合口１１ｈの中心部に配置された第１セル棒１１ｅは、その第１頭部１１１を「Ｍ６」の六角穴付きボルトに嵌合できる。
【００５４】
図５又は図６を参照すると、第１実施形態によるレンチ１０は、所定の口幅を有するボルトＢの頭部又はナットＮが嵌合口１１ｈに挿入されると、所定領域内の第１セル棒１１が第１セル案内板１２と共に移動する。そして、所定領域外の第１セル棒１１（嵌合口１１ｈの内壁を含む）がボルトＢの頭部又はナットＮに嵌合して、ボルトＢの頭部又はナットＮを締結できる。この場合、所定領域外の第１セル棒１１は互いに玉突き状態になっているので、所定の締付けトルクを維持できる。
【００５５】
このように、第１実施形態によるレンチ１０は、異なるサイズのボルトの頭部又はナットに嵌合する複数の第１セル棒１１をハンドル本体７の端部に配置している。第１実施形態によるレンチ１０は、ソケットを交換することなく、異なるサイズのボルト又はナットなどを締結可能なフリーサイズのソケットを有するラチェットレンチが実現でき、便利であり、例えば、電設工事の作業能率を向上できる。
【００５６】
［第２実施形態］
（ラチェットレンチの構成）
次に、本発明の第２実施形態によるラチェットレンチの構成を説明する。なお、第１実施形態で使用した符号と同じ符号が記載された構成品は、その作用を同一とするので、以下の説明では割愛する場合がある。
【００５７】
図７は、本発明の第２実施形態によるラチェットレンチの要部を示す斜視図である。図８は、第２実施形態によるラチェットレンチの構成を示す正面図であり、他方の端部を縦断面で示している。図９は、図８のＸ−Ｘ’矢視を拡大した縦断面図である。
【００５８】
図１０は、第２実施形態によるラチェットレンチの一方の端部を拡大した正面図である。図１１は、第２実施形態によるラチェットレンチに備わる第２セル案内板を示す正面図である。
【００５９】
図７から図９を参照すると、本発明の第２実施形態によるレンチ２０は、帯状のハンドル本体７とラチェット機構８を備えている。ハンドル本体７は、その両端部にラチェット機構８を設けている。ラチェット機構８は、ラチェット車（爪車）８ａとクランク状の揺動レバー８ｂで構成されている。
【００６０】
図７から図９を参照すると、レンチ２０は、ボルトＢ又はナットＮを一方向にのみ回転できる。又、レンチ２０を反対方向に回転すると、ラチェット機構８が空回りするため、ボルトＢ又はナットＮを素早く締結できる。
【００６１】
図７から図１１を参照すると、第２実施形態によるレンチ２０は、複数の第２セル棒２１、第２セル案内板２２、及び第２セル係止板２３を備えている。複数の第２セル棒２１は、第１収容室１ｈに収容されている。第１収容室１ｈは、ラチェット車８ａの中央部の一端面から他端面に貫通している。そして、複数の第２セル棒２１は、それらの軸中心が同心円状になるように第１収容室１ｈに配置されている。
【００６２】
図９又は図１１を参照すると、第２セル案内板２２は、第１収容室１ｈの内部に、一端面側と他端面側との間を移動可能に配置されている。第２セル係止板２３は、第１収容室１ｈをラチェット車８ａの他端面側から覆っている。
【００６３】
図８及び図９を参照すると、第１収容室１ｈは、正六角柱状の嵌合口１１ｈと円形開口１２ｈを有している。嵌合口１１ｈは、ラチェット車８ａの一端面側に開口し、大きな口幅を有するボルトＢの頭部又はナットＮに嵌合できる。円形開口１２ｈは、嵌合口１１ｈに連通している。そして、円形開口１２ｈは、嵌合口１１ｈに外接するように、ラチェット車８ａの他端面側に貫通している。
【００６４】
図９又は図１０を参照すると、第２セル棒２１は、台形体状の第２頭部２１１、第２軸部２１２、及び第２戻り止部２１３を有している。複数の第２頭部２１１は、隣接する複数の第２セル棒２１の少なくともいずれかに当接して、嵌合口１１ｈの円周方向又は遠心方向には移動が困難に配置されている。第２軸部２１２は、第２頭部２１１から段差となって棒状に延びている。第２戻り止部２１３は、第２軸部２１２の末端に形成され、第２軸部２１２より拡径している。
【００６５】
図９又は図１１を参照すると、第２セル案内板２２は、第２軸部２１２がスライド可能に嵌合する第３係合穴２２ｊを開口している。又、第２セル案内板２２は、第３係合穴２２ｊの周囲に第２頭部２１１が当接して、第２セル案内板２２を一方向に移動可能な第３平坦面２２ｓを有している。
【００６６】
図９を参照すると、第２セル係止板２３は、第２軸部２１２にスライド可能に嵌合する第４係合穴２３ｊを開口している。又、第２セル係止板２３は、第４係合穴２３ｊの周囲に第２戻り止部２１３が当接して、第２セル棒２１の他方向への移動を規制する第４平坦面４３ｓを有している。
【００６７】
（ラチェットレンチの組立手順）
次に、第２実施形態によるレンチ２０の組立手順を説明する。図９を参照して、最初に、第２セル案内板２２をラチェット車８ａの第１収容室１ｈに収容する。次に、複数の第２セル棒２１の第２軸部２１２を嵌合口１１ｈ側から第２セル案内板２２の第３係合穴２２ｊに挿入する（図１１参照）。なお、当初、第２軸部２１２の末端には、第２戻り止部２１３を形成していない。
【００６８】
次に、図９を参照して、複数の第２軸部２１２を第２セル係止板２３の第４係合穴２３ｊに挿入して、第２セル係止板２３を円形開口１２ｈの端部に圧入する。次に、第２軸部２１２の末端を円盤状につぶして（鍛造して）、第２戻り止部２１３を形成する。そして、一連の組立を終了する。
【００６９】
（ラチェットレンチの作用）
次に、第２実施形態によるレンチ２０の作用及び効果を説明する。図９及び図１０を参照すると、第２セル棒２１は、嵌合口１１ｈの内壁から中心に向かって、段階的に正六角形状に縮小する五つの仮想領域に区画配置された第２セル棒２１ａ〜２１ｅで構成している。
【００７０】
図１０を参照すると、嵌合口１１ｈの内壁は、その口幅（対辺距離）Ｗａをレンチ２０が締結できる最大口幅に設定している。例えば、嵌合口１１ｈの口幅Ｗａは、２７ｍｍであり、「Ｍ１８」のナットＮに嵌合できる（図６（Ａ）参照）。
【００７１】
図９及び図１０を参照すると、複数の第２セル棒２１ａは、それらの第２頭部２１１の一辺が嵌合口１１ｈの内壁に当接するように、各辺に三つに分割されて、配列されている。又、第２セル棒２１ａの第２頭部２１１同士は、互いに当接するように配列されている。つまり、複数の第２セル棒２１ａの第２頭部２１１は、嵌合口１１ｈの内壁に当接すると共に、互いに当接して嵌合口１１ｈの円周方向又は遠心方向には移動が困難に配置されている。
【００７２】
図１０を参照すると、複数の第２セル棒２１ａの第２頭部２１１で囲まれた仮想領域は、その口幅Ｗｂを最大口幅より小さく設定している。例えば、複数の第２セル棒２１ａで囲まれた仮想領域の口幅Ｗｂは、２２ｍｍであり、「Ｍ１４」のボルトＢの頭部又はナットＮに嵌合できる。又、「Ｗ１／２」のウィットサイズのボルトＢの頭部又はナットＮに嵌合できる。
【００７３】
図９及び図１０を参照すると、複数の第２セル棒２１ｂは、複数の第２セル棒２１ａの第２頭部２１１で囲まれた仮想領域に配列されている。第２セル棒２１ｂの第２頭部２１１は、第２セル棒２１ａの第２頭部２１１に当接するように、各辺に二つに分割されて、配置されている。又、第２セル棒２１ｂの第２頭部２１１同士は、互いに当接するように配列されている。つまり、複数の第２セル棒２１ｂの第２頭部２１１は、第２セル棒２１ａの第２頭部２１１に当接すると共に、互いに当接して嵌合口１１ｈの円周方向又は遠心方向には移動が困難に配置されている。
【００７４】
図１０を参照すると、複数の第２セル棒２１ｂの第２頭部２１１で囲まれた仮想領域は、その口幅Ｗｃを口幅Ｗｂより小さく設定している。例えば、複数の第２セル棒２１ｂで囲まれた仮想領域の口幅Ｗｃは、１７ｍｍであり、「Ｍ１０」のボルトＢの頭部に嵌合できる（図５参照）。又、「Ｗ３／８」のウィットサイズのボルトＢの頭部又はナットＮに嵌合できる。
【００７５】
図１０を参照すると、複数の第２セル棒２１ｃは、複数の第２セル棒２１ｂの第２頭部２１１で囲まれた仮想領域に配列されている。第２セル棒２１ｃの第２頭部２１１は、第２セル棒２１ｂの第２頭部２１１に当接するように配置されている。又、第２セル棒２１ｃの第２頭部２１１同士は、互いに当接するように配列されている。つまり、複数の第２セル棒２１ｃの第２頭部２１１は、第２セル棒２１ｂの第２頭部２１１に当接すると共に、互いに当接して嵌合口１１ｈの円周方向又は遠心方向には移動が困難に配置されている。
【００７６】
図１０を参照すると、複数の第２セル棒２１ｃの第２頭部２１１で囲まれた仮想領域は、その口幅Ｗｄを口幅Ｗｃより小さく設定している。例えば、複数の第２セル棒２１ｃで囲まれた仮想領域の口幅Ｗｄは、１０ｍｍであり、「Ｍ６」のボルトＢの頭部又はナットＮに嵌合できる。又、「Ｗ１／４」のウィットサイズのボルトＢの頭部又はナットＮに嵌合できる。更に、「Ｍ２０」の六角穴付き止めねじＢｈに嵌合できる（図６（Ｂ）参照）。
【００７７】
図９又は図１０を参照すると、複数の第２セル棒２１ｄは、複数の第２セル棒２１ｃの第２頭部２１１で囲まれた仮想領域に配列されている。第２セル棒２１ｄの第２頭部２１１は、第２セル棒２１ｃの第２頭部２１１に当接するように配置されている。又、第２セル棒２１ｄの第２頭部２１１同士は、互いに当接するように配列されている。つまり、複数の第２セル棒２１ｄの第２頭部２１１は、第２セル棒２１ｃの第２頭部２１１に当接すると共に、互いに当接して嵌合口１１ｈの円周方向又は遠心方向には移動が困難に配置されている。
【００７８】
図９又は図１０を参照すると、複数の第２セル棒２１ｄの第２頭部２１１で囲まれた仮想領域（中心領域）は、その口幅Ｗｅを口幅Ｗｄより小さく設定している。例えば、複数の第２セル棒２１ｄで囲まれた仮想領域の口幅Ｗｅは、５ｍｍである。実体として、嵌合口１１ｈの中心部に配置された第２セル棒２１ｅは、その第２頭部２１１を「Ｍ６」の六角穴付きボルトに嵌合できる。
【００７９】
図５又は図６から類推して、第２実施形態によるレンチ２０は、所定の口幅を有するボルトＢの頭部又はナットＮが嵌合口１１ｈに挿入されると、所定領域内の第２セル棒２１が第２セル案内板２２と共に移動する。そして、所定領域外の第２セル棒２１（嵌合口１１ｈの内壁を含む）がボルトＢの頭部又はナットＮに嵌合して、ボルトＢの頭部又はナットＮを締結できる。この場合、所定領域外の第２セル棒２１は互いに玉突き状態になっているので、所定の締付けトルクを維持できる。
【００８０】
このように、第２実施形態によるレンチ２０は、異なるサイズのボルトの頭部又はナットに嵌合する複数の第２セル棒２１をハンドル本体７の端部に配置している。第２実施形態によるレンチ２０は、ソケットを交換することなく、異なるサイズのボルト又はナットなどを締結可能なフリーサイズのソケットを有するラチェットレンチが実現でき、便利であり、例えば、電設工事の作業能率を向上できる。
【００８１】
［第３実施形態］
（ラチェットレンチの構成）
次に、本発明の第３実施形態によるラチェットレンチの構成を説明する。なお、第１及び第２実施形態で使用した符号と同じ符号が記載された構成品は、その作用を同一とするので、以下の説明では割愛する場合がある。
【００８２】
図１２は、本発明の第３実施形態によるラチェットレンチの要部を示す斜視分解組立図である。図１３は、第３実施形態によるラチェットレンチの構成を示す正面図であり、他方の端部を縦断面で示している。図１４は、第３実施形態によるラチェットレンチの構成を示す右側面図であり、他方の端部を縦断面で示している。
【００８３】
図１２から図１４を参照すると、本発明の第３実施形態によるレンチ３０は、帯状のハンドル本体７とラチェット機構８を備えている。ハンドル本体７は、その両端部にラチェット機構８を設けている。ラチェット機構８は、ラチェット車（爪車）８ａとクランク状の揺動レバー８ｂで構成されている。
【００８４】
図１２から図１４を参照すると、レンチ３０は、ボルトＢ又はナットＮを一方向にのみ回転できる。又、レンチ３０を反対方向に回転すると、ラチェット機構８が空回りするため、ボルトＢ又はナットＮを素早く締結できる。
【００８５】
図１２から図１４を参照すると、第３実施形態によるレンチ３０は、正六角柱状の伸縮ソケット３を備えている。伸縮ソケット３は、ラチェット車８ａの一端面の中央部から他端面に貫通した正六角柱状の第２収容室２ｈに収容されている。又、伸縮ソケット３は、第２収容室２ｈの中心部から同軸上にラチェット車８ａの他端面に向かって延出できる。
【００８６】
図１２から図１４を参照すると、実施形態による伸縮ソケット３は、三つの正六角管３ａ・３ｂ・３ｃで構成している。三つの正六角管３ａ・３ｂ・３ｃは、第２収容室２ｈの中心に向かって等差数列状に段階的に減少する口幅Ｗｂ・Ｗｃ・Ｗｄを設けている。又、三つの正六角管３ａ・３ｂ・３ｃは、相互に嵌合するように連結している。
【００８７】
図１２又は図１３を参照すると、三つの正六角管３ａ・３ｂ・３ｃは、三方の外壁から隆起するように形成された突起３１をそれぞれ有している。又、三つの正六角管３ａ・３ｂ・３ｃは、三方の内壁に穿設され、軸方向に延びる長穴３２をそれぞれ有している。
【００８８】
図１２及び図１３を参照すると、第２収容室２ｈには、その三方の内壁に穿設され、軸方向に延びる長穴３２を形成している。正六角管３ａを第２収容室２ｈに圧入すると、突起３１と第２収容室２ｈの長穴３２とが嵌合すると共に、ラチェット車８ａに対して、正六角管３ａを軸方向にスライドできる（図１４参照）。
【００８９】
同様に、図１２及び図１３を参照すると、正六角管３ｂを正六角管３ａの内部に圧入すると、正六角管３ｂに設けた突起３１と正六角管３ａに設けた長穴３２とが嵌合すると共に、正六角管３ａに対して、正六角管３ｂを軸方向にスライドできる（図１４参照）。
【００９０】
同様に、図１２及び図１３を参照すると、正六角管３ｃを正六角管３ｂの内部に圧入すると、正六角管３ｃに設けた突起３１と正六角管３ｂに設けた長穴３２とが嵌合すると共に、正六角管３ｂに対して、正六角管３ｃを軸方向にスライドできる（図１４参照）。
【００９１】
このように、三つの正六角管３ａ・３ｂ・３ｃは、内側に配置された正六角管に設けた突起３１と、外側に配置された正六角管に設けた長穴３２とが相互にスライド可能に嵌合できる。
【００９２】
なお、図１４を参照すると、三つの正六角管３ａ・３ｂ・３ｃは、それらの一方の端面がラチェット車８ａの一方の端面と一致するように互いに連結している。又、三つの正六角管３ａ・３ｂ・３ｃは、第２収容室２ｈに組み込まれた後は、容易に分解できないように相互に連結している。
【００９３】
（ラチェットレンチの作用）
次に、第３実施形態によるレンチ３０の作用及び効果を説明する。図１２を参照すると、第２収容室２ｈの内壁は、その口幅（対辺距離）Ｗａをレンチ３０が締結できる最大口幅に設定している。例えば、第２収容室２ｈの口幅Ｗａは、２７ｍｍであり、「Ｍ１８」のナットＮに嵌合できる（図６（Ａ）参照）。
【００９４】
図１２を参照すると、正六角管３ａの内壁は、その口幅Ｗｂが最大口幅より小さくなっている。例えば、正六角管３ａの内壁で囲まれた口幅Ｗｂは、２２ｍｍであり、「Ｍ１４」のボルトＢの頭部又はナットＮに嵌合できる。又、「Ｗ１／２」のウィットサイズのボルトＢの頭部又はナットＮに嵌合できる。
【００９５】
図１２を参照すると、正六角管３ｂの内壁は、その口幅Ｗｃが口幅Ｗｂより小さくなっている。例えば、正六角管３ｂの内壁で囲まれた口幅Ｗｃは、１７ｍｍであり、「Ｍ１０」のボルトＢの頭部に嵌合できる（図１４参照）。又、「Ｗ３／８」のウィットサイズのボルトＢの頭部又はナットＮに嵌合できる。
【００９６】
図１２を参照すると、正六角管３ｃの内壁は、その口幅Ｗｄが口幅Ｗｃより小さくなっている。例えば、正六角管３ｃの内壁で囲まれた口幅Ｗｄは、１０ｍｍであり、「Ｍ６」のボルトＢの頭部又はナットＮに嵌合できる。又、「Ｗ１／４」のウィットサイズのボルトＢの頭部又はナットＮに嵌合できる。
【００９７】
図１４を参照すると、第３実施形態によるレンチ３０は、所定の口幅を有するボルトＢの頭部又はナットＮが伸縮ソケット３に挿入されると、適合する正六角管がボルトＢの頭部又はナットＮに嵌合して、ボルトＢの頭部又はナットＮを締結できる。この場合、適合する正六角管が以外の正六角管がラチェット車８ａの一端面側から他端面側に移動する。
【００９８】
図１４を参照すると、第３実施形態によるレンチ３０の場合、ラチェット車８ａに対して、三つの正六角管３ａ・３ｂ・３ｃが移動しない形態を含み、正六角管３ｃのみが移動する形態を含み、正六角管３ｃと正六角管３ｂが一体になって移動する形態を含み、三つの正六角管３ａ・３ｂ・３ｃが一体になって移動する形態を含むことができる。
【００９９】
このように、第３実施形態によるレンチ３０は、異なるサイズのボルトの頭部又はナットに嵌合する複数の正六角管を連結した伸縮ソケット３をハンドル本体７の端部に配置している。第３実施形態によるレンチ３０は、ソケットを交換することなく、異なるサイズのボルト又はナットなどを締結可能なフリーサイズのソケットを有するラチェットレンチが実現でき、便利であり、例えば、電設工事の作業能率を向上できる。
【０１００】
実施形態によるラチェットレンチは、メートルサイズの異なるサイズの六角ボルトの頭部又はナットに嵌合するフリーサイズのソケットを開示したが、ソケットの口幅を適宜に設定することにより、ウィットサイズの異なるサイズの六角ボルトの頭部又はナットに嵌合できる。例えば、ハンドル本体７の一方の端部にメートルサイズのソケットを設け、ハンドル本体７の他方の端部にウィットサイズのソケットを設けると、適合するサイズの範囲を拡げることができる。
【０１０１】
実施形態によるラチェットレンチは、異なるサイズの六角ボルトの頭部又はナットに嵌合するフリーサイズのソケットを開示したが、本発明によるラチェットレンチの技術的思想を応用すれば、異なるサイズの歯車、又は蝶ねじなどを把持する工具も実現できる。
【符号の説明】
【０１０２】
１ｈ  第１収容室
７  ハンドル本体
８  ラチェット機構
８ａ  ラチェット車
１０  レンチ（ラチェットレンチ）
１１  第１セル棒
１１ｈ  嵌合口
１２  第１セル案内板
１２ｈ  円形開口
１２ｊ  第１係合穴
１２ｓ  第１平坦面
１３  第１セル係止板
１３ｊ  第２係合穴
１３ｓ  第２平坦面
８１ｂ  戻り止用の爪
１１１  第１頭部
１１２  第１軸部
１１３  第１戻り止部
Ｂ  ボルト
Ｎ  ナット
【図１】
2012091250.tif 000003
【図２】
2012091250.tif 000004
【図３】
2012091250.tif 000005
【図４】
2012091250.tif 000006
【図５】
2012091250.tif 000007
【図６】
2012091250.tif 000008
【図７】
2012091250.tif 000009
【図８】
2012091250.tif 000010
【図９】
2012091250.tif 000011
【図１０】
2012091250.tif 000012
【図１１】
2012091250.tif 000013
【図１２】
2012091250.tif 000014
【図１３】
2012091250.tif 000015
【図１４】
2012091250.tif 000016